(57)【要約】【課題】ズームリングで焦点距離を調整するカメラにおいて、電源を入れずに、簡易な操作でカメラ本体側レンズの各焦点距離における画角を連続的に確認できるカメラシステムを提供すること。【解決手段】ズームレンズ固定部側面に視認可能な指標、ズームリング側面に円周方向に展開する視認可能な数値列が設けられ、数値列のうち指標の光軸に沿った延長線上の数値がズームレンズのズーム状態を表し、ズームリング側面の数値列に対して光軸方向に隣接する位置に円周方向に展開する、連続した視認可能なマークが設けられ、マークは光軸方向に関して数値列の関数で表される位置にあり、光学ファインダは被写体像に、ズームレンズの望遠端および広角端での撮影範囲を示す枠と、ズームリング側面の指標から光軸方向に沿って延長した線上の領域のうち、数値列の関数であるマークの最大位置と最小位置を含む領域とを重畳することを特徴とする。【選択図】図９
2017062291.tif 000002
【特許請求の範囲】
【請求項１】
ズームリングの回転操作によってズーム状態を調整可能なズームレンズと光学ファインダとを含むカメラシステムにおいて、
前記ズームレンズの固定部側面の前記光学ファインダの最近接部に視認可能な指標が設けられ、
前記ズームリングの側面に円周方向に展開する視認可能な数値列が設けられ、
前記数値列のうち前記指標の光軸に沿った延長線上の数値が前記ズームレンズのズーム状態を表し、
前記ズームリングの側面の前記数値列に対して光軸方向に隣接する位置に円周方向に展開する、連続した視認可能なマークが設けられ、
前記マークは光軸方向に関して前記数値列の関数で表される位置にあり、
前記光学ファインダは被写体像に、前記ズームレンズの望遠端での撮影範囲を示す枠と前記ズームレンズの広角端での撮影範囲を示す枠と、前記ズームリングの側面の前記指標から光軸方向に沿って延長した線上の領域のうち、前記数値列の関数である前記マークの最大位置と最小位置を含む領域とを重畳することを特徴とするカメラシステム。
【請求項２】
前記光学ファインダは、
対物レンズ(第１のレンズ)と接眼レンズ(第２のレンズ)と、
前記ズームリングの側面の前記指標と同位相領域のうち、前記数値列の関数である前記マークの最大位置と最小位置を含む領域を取得する第３のレンズと、
前記対物レンズと前記接眼レンズとの間に位置するミラーと、
を有し、
前記ミラーによって、前記第３のレンズが取得した領域とを重畳することを特徴とする請求項１に記載のカメラシステム。
【請求項３】
ズームリングの回転操作によってズーム状態を調整可能な複数のズームレンズと、前記ズームレンズを交換可能なカメラ本体と光学ファインダとを含むカメラシステムにおいて、
前記ズームレンズの固定部側面の前記光学ファインダの最近接部に視認可能な指標が設けられ、
前記ズームリングの側面に円周方向に展開する視認可能な数値列が設けられ、
前記数値列のうち前記指標の光軸に沿った延長線上の数値が前記ズームレンズのズーム状態を表し、
前記ズームリングの側面の前記数値列に対して光軸方向に隣接する位置に円周方向に展開する、連続した視認可能なマークが設けられ、
前記マークは光軸方向に関して前記数値列の関数で表される位置にあり、
前記光学ファインダは被写体像に、少なくとも前記複数のズームレンズの最望遠端での撮影範囲を示す枠と前記複数のズームレンズの最広角端での撮影範囲を示す枠と、前記ズームリングの側面の前記指標から光軸に沿って延長した線上の領域のうち、前記数値列の関数である前記マークの最大位置と最小位置を含む領域とを重畳することを特徴とするカメラシステム。
【請求項４】
前記光学ファインダは、外付け光学ファインダであることを特徴とする請求項１又は請求項３に記載のカメラシステム。
【発明の詳細な説明】
【技術分野】
【０００１】
本発明は、カメラに光学ファインダを搭載もしくは装着可能であり、大型ズームレンズを搭載もしくは装着可能なカメラシステムに関する。
【背景技術】
【０００２】
従来のカメラによる撮影は、カメラの電源をOnにする、被写体にカメラを向ける、ズーム調整を行う、焦点を合わせる、撮影ボタンを押す、といった一連の動作を必要とする。日常の撮影において、これらの一連の動作に入る前に、レンズのズーム状態に応じた画角を確認したい場合がある。このような場合、カメラの電源をＯｎにする前に光学ファインダを使用して画角を確認できることが望ましい。例えば一眼レフカメラを使用した場合、撮影の直前までレンズ光学系が内部のミラーとプリズムによってファインダに導光されるため、このような動作を行うことができる。
【０００３】
しかし、近年、コンパクトカメラやミラーとプリズムを搭載しないいわゆるミラーレスカメラなど、光学ファインダを持たないカメラが存在する。このようなカメラではユーザが画角を確認するために電源をＯｎにする必要があり、ユーザの動作が煩雑になるという問題がある。また例えばカメラを通した被写体のイメージがユーザが想起したものと異なり撮影に至らない場合にも、カメラの電源をＯｎにしなければならず、バッテリの無駄な消耗につながる。
【０００４】
このような問題に対し、ズーム光学系を搭載したファインダ技術が存在する。この技術は外付け光学ファインダの側面に配置された操作部をユーザが操作することで、ファインダ内部のズーム光学系を移動させ所望の焦点距離に調整するものである(非特許文献１参照)。
【０００５】
また、広角の外付け光学ファインダにおいてレンズ側面に設けられたレンズの動作状態を、接眼レンズから視認できるようにした技術が存在する(特許文献１参照)。この技術はレンズ側面に設けられた目盛や離散値列を読み取り、同時にファインダ内に設けられた焦点距離に対応する複数の視野枠とを比較することで、ユーザがレンズの動作状態を推定するものである。
【先行技術文献】
【特許文献】
【０００６】
【特許文献１】特開２０１４−４９８５９号公報
【非特許文献】
【０００７】
【非特許文献１】「株式会社コシナ ホームページ」http://www.cosina.co.jp/seihin/voigt/acce/zoom-finder/
【発明の概要】
【発明が解決しようとする課題】
【０００８】
しかしながら、非特許文献１に記載される従来技術では、外付け光学ファインダの焦点距離設定がカメラ本体側レンズの焦点距離設定と独立しており、本撮影で再度カメラ本体側レンズの焦点距離調整が必要だった。
【０００９】
また、特許文献１に記載される従来技術では、レンズの動作状態が離散値列で表され、目盛りの中間位置ではその位置に相当する視野を推測にくい。また目盛の数だけ視野枠を要するため、ユーザがファインダを覗き込んだ時の視野が煩雑になる。
【００１０】
本発明の目的は、ズームリングで焦点距離を調整するカメラにおいて、電源を入れずに、簡易な操作でカメラ本体側レンズの各焦点距離における画角を連続的に確認できるカメラシステムを提供することにある。
【課題を解決するための手段】
【００１１】
上記の目的を達成するために、本発明に係るカメラシステムは、
ズームリングの回転操作によってズーム状態を調整可能なズームレンズと光学ファインダとを含むカメラシステムにおいて、前記ズームレンズの固定部側面の前記光学ファインダの最近接部に視認可能な指標が設けられ、前記ズームリングの側面に円周方向に展開する視認可能な数値列が設けられ、前記数値列のうち前記指標の光軸に沿った延長線上の数値が前記ズームレンズのズーム状態を表し、前記ズームリングの側面の前記数値列に対して光軸方向に隣接する位置に円周方向に展開する、連続した視認可能なマークが設けられ、前記マークは光軸方向に関して前記数値列の関数で表される位置にあり、前記光学ファインダは被写体像に、前記ズームレンズの望遠端での撮影範囲を示す枠と前記ズームレンズの広角端での撮影範囲を示す枠と、前記ズームリングの側面の前記指標から光軸方向に沿って延長した線上の領域のうち、前記数値列の関数である前記マークの最大位置と最小位置を含む領域とを重畳することを特徴とする。
【００１２】
また、本発明に係るカメラシステムは、
前記光学ファインダは、対物レンズ(第１のレンズ)と接眼レンズ(第２のレンズ)と前記ズームリング側面の前記指標と同位相領域のうち、前記数値列の関数である前記マークの最大位置と最小位置を含む領域を取得する第３のレンズと、前記対物レンズと前記接眼レンズとの間に位置するミラーとを有し、前記ミラーによって、前記第３のレンズが取得した領域とを重畳することを特徴とする。
【００１３】
また、本発明に係るカメラシステムは、
ズームリングの回転操作によってズーム状態を調整可能な複数のズームレンズと、前記ズームレンズを交換可能なカメラ本体と光学ファインダとを含むカメラシステムにおいて、前記ズームレンズ固定部側面の前記光学ファインダ最近接部に視認可能な指標が設けられ、前記ズームリング側面に円周方向に展開する視認可能な数値列が設けられ、前記数値列のうち前記指標と前記指標の光軸に沿った延長線上の数値が前記ズームレンズのズーム状態を表し、前記ズームリング側面の前記数値列に対して光軸方向に隣接する位置に円周方向に展開する、連続した視認可能なマークが設けられ、前記マークは光軸方向に関して前記数値列の関数で表される位置にあり、前記光学ファインダは被写体像に、少なくとも前記複数のズームレンズの最望遠端での撮影範囲を示す枠と前記複数のズームレンズの最広角端での撮影範囲を示す枠と、前記ズームリング側面の前記指標から光軸方向に沿って延長した線上の領域のうち、前記数値列の関数である前記マークの最大位置と最小位置を含む領域とを重畳することを特徴とする。
【発明の効果】
【００１４】
本発明によれば、ズームリングで焦点距離を調整するカメラにおいて、電源を入れずに、簡易な操作でカメラ本体側レンズの各焦点距離における画角を連続的に確認できるカメラシステムを提供することができる。
【図面の簡単な説明】
【００１５】
【図１】カメラシステムを表す斜視図
【図２】カメラ本体を表す斜視図
【図３】レンズ鏡筒の展開図
【図４】レンズ鏡筒の構成を示す断面図
【図５】レンズのズームが望遠端に調整されたカメラ本体を示す斜視図
【図６】外付け光学ファインダ１を表す断面図
【図７】接合プリズムを表す斜視図
【図８】外付け光学ファインダの視野を説明する図
【図９】カメラシステムの詳細斜視図
【図１０】レンズ鏡筒のズームリングの展開図
【図１１】外付け光学ファインダの視野を説明する図
【図１２】カメラシステムを表す斜視図
【図１３】カメラ本体と交換レンズのセットを表す斜視図
【図１４】カメラ本体と別の交換レンズのセットを表す斜視図
【図１５】外付け光学ファインダを表す断面図
【図１６】外付け光学ファインダの視野を説明する図
【図１７】カメラシステムの詳細斜視図
【図１８】交換レンズのズームリングの展開図
【図１９】外付け光学ファインダの視野を説明する図
【図２０】カメラシステムの詳細斜視図
【図２１】交換レンズのズームリングの展開図
【図２２】外付け光学ファインダの視野を説明する図
【発明を実施するための形態】
【００１６】
以下、本発明を実施するための形態を図面に基づいて説明する。
【００１７】
＜第１の実施形態＞
図１は本発明の第１の実施形態にかかるカメラシステムを表す斜視図である。
【００１８】
カメラ本体２は上面にアクセサリシュー２１と操作部２２が設けられ、外付け光学ファインダ１がアクセサリシュー２１に着脱自在に取り付けられる。
【００１９】
図２は本発明の第１の実施形態にかかるカメラシステムのうち、カメラ本体２を表す斜視図である。
【００２０】
カメラ本体２の前面(被写体側)にはレンズ鏡筒３が設けられている。レンズ鏡筒３はカメラ本体２内部に設けられた撮像部(非図示)に結像する光学系を収納する。また図２においてカメラ本体２のレンズ鏡筒３が設けられている側を被写体側、レンズ鏡筒３の反対側を撮影者側と呼ぶ。
【００２１】
図４はレンズ鏡筒３の構成を示す断面図である。
【００２２】
レンズ鏡筒３に収納される光学系は、ズームレンズ群３１とフォーカスレンズ群３２とを含む。ユーザはレンズ鏡筒３の外周に設けられたズームリング３３を回転させることでズームレンズ群３１を移動させ、光学系の焦点距離を調整することができる。ズームレンズ群３１とズームリング３３はカム機構(非図示)によって連動する。そのため光学系の焦点距離とズームリング３３の位相は一対一の関係にある。
【００２３】
またユーザはレンズ鏡筒３の外周に設けられたフォーカスリング３６を回転させることで内部機構(非図示)を介してフォーカスレンズ群３２を移動させ、フォーカスを調整することができる。図２ではレンズ鏡筒３のズームレンズ群３１が広角端にある状態を示している。また図５はレンズ鏡筒３のズームレンズ群３１が望遠端にある状態を表している。ズームリング３３を回転させることで内部のズームレンズ群３１の構成レンズの位置関係が変化した結果、レンズ鏡筒３の全長が変化する。
【００２４】
図３はズームリング３３の展開図である。ここでは図２と図３を併用して説明する。
【００２５】
ズームリング３３に近接するレンズ鏡筒本体部３５の最上部には指標３５１が設けられている。ズームリング３３の円周面３３１には、焦点距離目盛３３２と焦点距離を表す離散値３３３が併記されている。
【００２６】
本実施形態ではズームリング円周面３３１は黒色で、焦点距離目盛３３２と焦点距離を表す離散値列３３３は白色で印刷される。レンズ鏡筒３内部のズームレンズ群３１はレンズ鏡筒内部のカム機構によって、離散値列３３３のうち、ズームリング円周面３３１の指標３５１に対応する部分が光学系の焦点距離となるように駆動する。
【００２７】
従ってユーザは、指標３５１と焦点距離目盛３３２を視認して、レンズ鏡筒３のおおよその焦点距離を推測することができる。またズームリング円周面３３１には白色の曲線３３４が設けられている。曲線３３４の光軸方向位置は、焦点距離を表す離散値列３３３の関数となっている。つまり指標３５１の光軸方向Ａに沿って延長した直線Ｂと曲線３３４の交点３３５の位置が、レンズ鏡筒３の焦点距離に対応し、ズームリング３３とレンズ鏡筒本体部３５の境界３５と交点３３５の距離Ｌが変化する。後述するように交点３３５の位置は、外付け光学ファインダ１の視野範囲となっている。
【００２８】
図６は本発明の第１の実施形態にかかるカメラシステムのうち、外付け光学ファインダ１を表す断面図である。
【００２９】
本実施形態ではアルバダ式ファインダを例にして説明する。１１は対物レンズ、１２は接眼レンズである。ユーザは接眼レンズ１２を光軸に沿って移動させることにより視度調整することができる。外付け光学ファインダ１は接眼側が曲面ハーフミラーでアルバダ反射面となったレンズ１３と、アルバダ反射面に対向する面にアルバダ枠１４１を備えたレンズ１４を備える。１５はアルバダ反射面を持つレンズ１３の近傍に配置される接合プリズムである。
【００３０】
図７は接合プリズム１５を表す斜視図である。
【００３１】
接合面１５１にはアルミ蒸着により幅狭の矩形状ミラー１５２が設けられている。ミラー１５２は光学系の下側に配置される物体像を反射させ光軸Ｃに沿って接眼側に導光する機能を持つ。
【００３２】
図６に戻り、外付け光学ファインダ１の接合プリズム１５の下部にはレンズ１６を備えた窓部１７が設けられている。接眼レンズ１２を覗き込むことにより、窓部１７に近接する物体１７１の像とアルバダ枠１４１の虚像が、被写体像に重畳されて観察されるようになっている。
【００３３】
図８は外付け光学ファインダ１の視野を説明する図である。
【００３４】
領域１５３はミラー１５２によって接眼側に導光される像である。アルバダ枠１４１は２種類の矩形枠１４２、１４３を備える。矩形枠１４２はレンズ鏡筒３の広角端における視野枠を表す。矩形枠１４３はレンズ鏡筒３の望遠端における視野枠を表す。
【００３５】
図９は本発明の第１の実施形態にかかるカメラシステムの詳細斜視図である。説明のため、外付け光学ファインダ１の外装を断面にして表現している。
【００３６】
ズームリング円周面３３１に設けられた曲線３３４と指標３５１の光軸方向Ａに沿って延長した直線Ｂの交点を３３５とし、交点３３５周辺領域を３３６とする。本実施形態では窓部１７の直下が周辺領域３３６となるように配置される。それにより図６における物体１７１は周辺領域３３６となる。これによりミラー１５２は周辺領域３３６を反射させ、接眼側に導光する。
【００３７】
図１０はレンズ鏡筒３のズームリング３３の展開図である。特に図１０(a)は広角端での位置関係、図１０(b)は中間での位置関係、図１０(c)は望遠端での位置関係を表す。
【００３８】
ミラー１５２によって外付け光学ファインダ１の接眼側に導光される周辺領域３３６は固定されているので、ズームリング３３の位相によって導光される交点３３５の位置のみが連続的に変化するように見える。
【００３９】
図１１は外付け光学ファインダ１をカメラ２に取り付けた時の、外付け光学ファインダ１の視野を説明する図である。特に図１１(a)は広角端での位置関係、図１１(b)は中間での位置関係、図１１(c)は望遠端での位置関係を表す。
【００４０】
領域１５３にはミラー１５２によって導光されたズームリング円周面３３１の周辺領域３３６(図９参照)が、上下反転して重畳される。黒色のズームリング円周面３３１を表示する周辺領域３３６内を、コントラストが高い白色の交点３３５が移動するため、被写体像に重畳しても認識しやすい。
【００４１】
ズームリング３３の位相によって交点３３５の位置が矩形枠１４２と矩形枠１４３の間を連続的に移動する。ユーザは矩形枠１４２と矩形枠１４３の間にある交点３３５を観察することで、外付け光学ファインダ１を覗き込みながら、レンズ鏡筒３の光学系の焦点距離を直感的に推測することができる。
【００４２】
＜第２の実施形態＞
図１２は本発明の第２の実施形態にかかるカメラシステムを表す斜視図である。
【００４３】
カメラ本体４はレンズ交換式カメラであり、公知のバヨネット機構で交換レンズ５と交換レンズ６を着脱可能である。すなわち交換レンズ５は矢印Ｄ方向にマウント４１に当接する位置まで押入した後に矢印Ｅ方向に一定角度回転させると、マウント４１に突出したマウントロックピン４２がレンズ５に係合することで角度を規制され、カメラ本体４に固定される。
【００４４】
ユーザがロック解除ボタン４３を押すとマウントロックピン４２の交換レンズ５に対する係合が解除され、ユーザはレンズ５をカメラ本体４から外すことができる。交換レンズ５は例えば１８ｍｍ〜５５ｍｍのズームレンズであり、ズームリング５１を回転させて光学系の焦点距離を調整することができる。ズームレンズ群(非図示)とズームリング５１はカム機構(非図示)によって連動する。そのため光学系の焦点距離とズームリング５１の位相は一対一の関係にある。
【００４５】
交換レンズ６は、交換レンズ５と焦点距離範囲の異なる、例えば２４ｍｍ〜７０ｍｍのズームレンズである。交換レンズ５と同様にズームリング６１を回転させて光学系の焦点距離を調整することができる。ズームレンズ群(非図示)とズームリング６１はカム機構(非図示)によって連動する。そのため光学系の焦点距離とズームリング６１の位相は一対一の関係にある。交換レンズ６は交換レンズ５と同じ方法でカメラ本体４に着脱可能である。またカメラ本体４の上面にはアクセサリシュー４４と操作部４５が設けられ、外付け光学ファインダ７がアクセサリシュー４４に着脱自在に取り付けられる。
【００４６】
図１３は本発明の第２の実施形態にかかるカメラシステムのうち、カメラ本体４とカメラ本体４に装着された交換レンズ５のセットを表す斜視図である。
【００４７】
ズームリング５１に近接するレンズ鏡筒本体部５２の最上部には指標５２１が設けられている。またズームリング５１の円周面５１１には、焦点距離目盛５１２と焦点距離を表す離散値５１３が併記されている。交換レンズ５内部のズームレンズ群(非図示)は交換レンズ５内部のカム機構(非図示)によって、離散値列５１３のうち、ズームリング円周面５１１の指標５２１に対応する部分が光学系の焦点距離となるように駆動する。従ってユーザは指標５２１と焦点距離目盛５１２を視認して、交換レンズ５のおおよその焦点距離を推測することができる。
【００４８】
またズームリング円周面５１１には曲線５１４が設けられている。曲線５１４の光軸方向位置は、焦点距離を表す離散値列５１３の関数となっている。つまり指標５２１の光軸方向Ｄに沿って延長した直線Ｆと曲線５１４の交点５１５の位置が、交換レンズ５の焦点距離に対応する。後述するように交点５１５の位置は、外付け光学ファインダ７の視野範囲となっている。
【００４９】
図１４は本発明の第２の実施形態にかかるカメラシステムのうち、カメラ本体４とカメラ本体４に装着された交換レンズ６のセットを表す斜視図である。
【００５０】
ズームリング６１に近接するレンズ鏡筒本体部６２の最上部には指標６２１が設けられている。またズームリング６１の円周面６１１には、焦点距離目盛６１２と焦点距離を表す離散値６１３が併記されている。
【００５１】
交換レンズ６内部のズームレンズ群(非図示)は交換レンズ６内部のカム機構(非図示)によって、離散値列６１３のうち、ズームリング円周面６１１の指標６２１に対応する部分が光学系の焦点距離となるように駆動する。従ってユーザは指標６２１と焦点距離目盛６１２を視認して、交換レンズ６のおおよその焦点距離を推測することができる。
【００５２】
またズームリング円周面６１１には曲線６１４が設けられている。曲線６１４の光軸方向位置は、焦点距離を表す離散値列６１３の関数となっている。つまり指標６２１の光軸方向Ｄに沿って延長した直線Ｆと曲線６１４の交点６１５の位置が、交換レンズ６の焦点距離に対応する。後述するように交点６１５の位置は、外付け光学ファインダ７の視野範囲となっている。
【００５３】
図１５は本発明の第２の実施形態にかかるカメラシステムのうち、外付け光学ファインダ７を表す断面図である。
【００５４】
本実施形態ではアルバダ式ファインダを例にして説明する。外付け光学ファインダ７の内部構成はアルバダ枠７４１を備えたレンズ７４を除いて、第１の実施形態にかかるカメラシステムの外付け光学ファインダ１と同じである。従って構造の詳細説明は省略する。
【００５５】
図１６は外付け光学ファインダ７の視野を説明する図である。
【００５６】
領域７５３はミラー１５２によって接眼側に導光される像である。アルバダ枠７４１は２種類の矩形枠７４２、７４３を備える。矩形枠７４２は交換レンズ５と交換レンズ６の焦点距離範囲のうち、最広角端における視野枠を表す。具体的には交換レンズ５の広角端の視野枠である。矩形枠７４３は交換レンズ５と交換レンズ６の焦点距離範囲のうち、最望遠端における視野枠を表す。具体的には交換レンズ６の望遠端の視野枠である。
【００５７】
図１７は本発明の第２の実施形態にかかるカメラシステムの、交換レンズ５が装着されたカメラ本体４に外付け光学ファインダ７が装着された状態を示す詳細斜視図である。説明のため、外付け光学ファインダ７の外装を断面にして表現している。
【００５８】
窓部１７の直下にはズームリング５１が配置される。ミラー１５２はズームリング円周面５１１に設けられた曲線５１４の、指標５２１の光軸方向Ｄに沿って延長した直線Ｆと曲線５１４の交点５１５周辺(領域５１６)の像を反射させ、接眼側に導光する。
【００５９】
図１８はレンズ鏡筒５のズームリング５１の展開図である。特に図１８(a)は交換レンズ５の広角端での位置関係、図１８(b)は交換レンズ５の中間での位置関係、図１８(c)は交換レンズ５の望遠端での位置関係を表す。
【００６０】
ミラー１５２によって外付け光学ファインダ７の接眼側に導光される周辺領域５１６が固定されているので、ズームリング５１の位相によって導光される交点５１５の位置が連続的に変化する。
【００６１】
図１９は外付け光学ファインダ７を交換レンズ５が装着されたカメラ本体４に取り付けた時の、外付け光学ファインダ７の視野を説明する図である。特に図１９(a)は広角端での位置関係、図１９(b)は中間での位置関係、図１９(c)は望遠端での位置関係を表す。
【００６２】
領域７５３にはミラー１５２によって導光されたズームリング円周面５１１の周辺領域５１６(図１７参照)が、上下反転して重畳される。黒色のズームリング円周面５１１を表示する周辺領域５１６内を、コントラストが高い白色の交点５１５が移動するため、被写体像に重畳しても認識しやすい。
【００６３】
ズームリング５１の位相によって交点５１５の位置が矩形枠７４２と矩形枠７４３の間を連続的に移動する。矩形枠７４３は交換レンズ５と交換レンズ６の焦点距離範囲のうち、最望遠端における視野枠を表すため、図１９(c)における交点５１５は矩形枠７４２と矩形枠７４３の途中にある。
【００６４】
図２０は本発明の第２の実施形態にかけるカメラシステムの、交換レンズ６が装着されたカメラ本体４に外付け光学ファインダ７が装着された状態を示す詳細斜視図である。説明のため、外付け光学ファインダ７の外装を透明にして表現している。
【００６５】
窓部１７の直下にはズームリング６１が配置される。ミラー１５２はズームリング円周面６１１に設けられた曲線６１４の、指標６２１の光軸方向Ｄに沿って延長した直線Ｅと曲線６１４の交点６１５周辺(周辺領域６１６)の像を反射させ、接眼側に導光する。
【００６６】
図２１はレンズ鏡筒６のズームリング６１の展開図である。特に図２１(a)は交換レンズ６の広角端での位置関係、図２１(b)は交換レンズ６の中間での位置関係、図２１(c)は交換レンズ６の望遠端での位置関係を表す。
【００６７】
ミラー１５２によって外付け光学ファインダ７の接眼側に導光される周辺領域６１６が固定されているので、ズームリング６１の位相によって導光される交点６１５の位置が連続的に変化する。
【００６８】
図２２は外付け光学ファインダ７を交換レンズ６が装着されたカメラ本体４に取り付けた時の、外付け光学ファインダ７の視野を説明する図である。特に図２２(a)は広角端での位置関係、図２２(b)は中間での位置関係、図２２(c)は望遠端での位置関係を表す。
【００６９】
矢印Ｇは図１９における外付け光学ファインダ７を交換レンズ５が装着されたカメラ本体４に取り付けた時の、交点５１５の移動範囲を模擬的に示している。領域７５３にはミラー１５２によって導光されたズームリング円周面６１１の周辺領域６１６(図２０参照)が、上下反転して重畳される。黒色のズームリング円周面６１１を表示する周辺領域６１６内を、コントラストが高い白色の交点６１５が移動するため、被写体像に重畳しても認識しやすい。
【００７０】
ズームリング６１の位相によって交点６１５の位置が矩形枠７４２と矩形枠７４３の間を連続的に移動する。矩形枠７４２は交換レンズ５と交換レンズ６の焦点距離範囲のうち、最広角端における視野枠を表すため、図２２(c)における交点６１５は矩形枠７４２と矩形枠７４３の途中にある。
【００７１】
また交換レンズ５と交換レンズ６は、焦点距離が一部重複する。そのため外付け光学ファインダ７を交換レンズ５が装着されたカメラ４に取り付けた時の、交点５１５の移動範囲(矢印Ｇ)と交点６１５の移動範囲は重複領域がある。
【００７２】
図１９と図２２で示したように、ユーザは矩形枠７４２と矩形枠７４３の間にある交点５１５や交点６１５を観察することで、外付け光学ファインダ７を覗き込みながら、複数のレンズの光学系の焦点距離を直感的に推測することができる。
【００７３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００７４】
１  外付け光学ファインダ、１１  対物レンズ、１２  接眼レンズ、
１３  アルバダ反射面を持つレンズ、１４  アルバダ反射枠を備えたレンズ、
１４１  アルバダ枠、１４２  矩形枠、１４３  矩形枠、１５  接合プリズム、
１５１  接合面、１５２  ミラー、１６  レンズ、１７  窓部、２  カメラ本体、
２１  アクセサリシュー、２２  操作部、３  レンズ鏡筒、３１  ズームレンズ群、
３２  フォーカスレンズ群、３３  ズームリング、３３１  ズームリングの円周面、
３３２  焦点距離目盛、３３３  焦点距離を表す離散値列、３３４  曲線、
３３５  交点、３３６  交点３３５周辺領域、３４  フォーカスリング、
３５  レンズ鏡筒本体部、３５１  指標、４  カメラ本体、４１  マウント、
４２  マウントロックピン、４３  ロック解除ボタン、４４  アクセサリシュー、
４５  操作部、５  交換レンズ、５１  ズームリング、５１１  ズームリングの円周面、
５１２  焦点距離目盛、５１３  焦点距離を表す離散値列、５１４  曲線、
５１５  交点、５１６  交点５１５周辺領域、５２１  指標、６  交換レンズ、
６１  ズームリング、６１１  ズームリングの円周面、６１２  焦点距離目盛、
６１３  焦点距離を表す離散値列、１４  曲線、６１５  交点、６１６  交点、
６１５ 周辺領域、６２１  指標、７  外付け光学ファインダ、７４１  アルバダ枠、
７４２  矩形枠、７４３  矩形枠
【図１】
2017062291.tif 000003
【図２】
2017062291.tif 000004
【図３】
2017062291.tif 000005
【図４】
2017062291.tif 000006
【図５】
2017062291.tif 000007
【図６】
2017062291.tif 000008
【図７】
2017062291.tif 000009
【図８】
2017062291.tif 000010
【図９】
2017062291.tif 000011
【図１０】
2017062291.tif 000012
【図１１】
2017062291.tif 000013
【図１２】
2017062291.tif 000014
【図１３】
2017062291.tif 000015
【図１４】
2017062291.tif 000016
【図１５】
2017062291.tif 000017
【図１６】
2017062291.tif 000018
【図１７】
2017062291.tif 000019
【図１８】
2017062291.tif 000020
【図１９】
2017062291.tif 000021
【図２０】
2017062291.tif 000022
【図２１】
2017062291.tif 000023
【図２２】
2017062291.tif 000024